(57)【要約】【課題】エレベータの個々の条件の相違に応じた最適なバッテリー寿命予測判定手法を用いることにより寿命判定精度を向上させる。【解決手段】操作釦１９ｇの操作により判定開始指令手段１９ｆが寿命判定開始指令を測定データ収集手段１９ａ及びデータ比較判定手段１９ｃに出力する。測定データ収集手段１９ａは、非常電源用バッテリー１６に関する複数種類の測定データを収集する。データ比較判定手段１９ｃは、比較対象データ選択手段１９ｅが選択したデータ種類に係る測定データ収集手段１９ａからの測定データと、判定基準データ格納部１９ｂから取り出した判定基準データとを比較して寿命判定を行う。判定結果表示手段１９ｄは、この判定結果を表示する。【選択図】図２
2009215023.tif 000002
【特許請求の範囲】
【請求項１】
非常電源用バッテリーについての寿命判定開始指令を出力する判定開始指令手段と、
前記寿命判定開始指令により非常電源用バッテリーに関する複数種類の測定データを収集する測定データ収集手段と、
非常電源用バッテリーの寿命判定を行う際に用いる複数種類の判定基準データが格納されている判定基準データ格納部と、
非常電源用バッテリーの寿命判定の基礎とするデータ種類を選択する比較対象データ選択手段と、
前記寿命判定開始指令により前記測定データ収集手段及び判定基準データ格納部から前記比較対象データ選択手段が選択したデータ種類に係るデータを入力し、これらのデータの比較に基づき非常電源用バッテリーの寿命判定を行うデータ比較判定手段と、
前記データ比較判定手段による判定結果を表示する判定結果表示手段と、
を備えたことを特徴とする非常電源用バッテリー寿命判定システム。
【請求項２】
前記非常電源用バッテリーの寿命判定の基礎とするデータ種類には、少なくともバッテリー電圧、バッテリー温度、バッテリー内部抵抗、バッテリー電圧降下波形のいずれかが含まれる、
ことを特徴とする請求項１記載の非常電源用バッテリーの寿命判定システム。
【請求項３】
前記非常電源用バッテリーに対する寿命判定処理はエレベータ停止中に実施されるものであり、その実施中はバッテリー充電回路をエレベータ主電源から切り離すようにし、エレベータ運転要求が発生した場合には寿命判定処理を中断してバッテリー充電回路をエレベータ主電源に再接続するようにする、
ことを特徴とする請求項１記載の非常電源用バッテリーの寿命判定システム。
【請求項４】
前記データ比較判定手段による判定結果をエレベータ監視センターの中央監視装置に伝送する遠隔保守装置を備えた、
ことを特徴とする請求項１記載の非常電源用バッテリーの寿命判定システム。
【請求項５】
前記データ比較判定手段の判定結果を学習アルゴリズムに基づき学習する判定結果学習手段と、
前記判定結果学習手段の学習結果に基づき前記判定基準データ格納部に格納されている判定基準データを更新する判定基準データ更新手段と、
を備えたことを特徴とする請求項１記載の非常電源用バッテリーの寿命判定システム。
【請求項６】
前記比較対象データ選択手段は、前記判定結果学習手段の学習結果に基づき、前記非常電源用バッテリーの寿命判定の基礎とするデータ種類を選択する、
ことを特徴とする請求項５記載の非常電源用バッテリーの寿命判定システム。
【請求項７】
前記比較対象データ選択手段は、選択したデータ種類が複数ある場合に、前記判定結果学習手段の学習結果に基づき、データ重要度を決定するデータ重要度決定手段を有し、
前記データ比較判定手段は、複数種類のデータの比較に基づき寿命判定を行った際、データ種類によって異なる判定が算出される場合には、前記データ重要度決定手段が決定したデータ重要度が上位のデータ種類を用いて得られる判定結果を出力する、
ことを特徴とする請求項５記載の非常電源用バッテリーの寿命判定システム。
【請求項８】
前記判定開始指令手段が判定開始指令を出力するタイミングが予め設定されており、この設定タイミングが到来した時点で判定開始指令手段に対して判定開始指令の出力を指示する判定開始タイマ手段を備えた、
ことを特徴とする請求項１記載の非常電源用バッテリーの寿命判定システム。
【発明の詳細な説明】
【技術分野】
【０００１】
本発明は、非常電源用バッテリーの寿命判定システムに関するものである。
【背景技術】
【０００２】
エレベータは、主電源（主として商用交流電源）からの電力供給により、インバータ等の電力変換装置が巻上機を運転制御し、巻上機の駆動力により乗りかごが昇降路内を昇降動するようになっている。したがって、停電事故が発生すると主電源からの電力供給が遮断されるため、エレベータの運転は停止される。
【０００３】
しかし、通常のエレベータシステムではこのような場合、非常電源用バッテリーが働き、停電時自動着床機能により乗りかごを最寄り階まで移動して乗客を救出し、閉じ込め事故が発生するのを回避するようになっている。したがって、非常電源用バッテリーは非常に重要な役割を担っており、いつ停電事故が発生しても救出運転が可能なように、非常電源用バッテリーに対しては常に充分な充電が行われていなければならない。
【０００４】
ところで、非常電源用バッテリーは、通常運転時には商用交流電源からの交流電力を変換した直流電力により充電され蓄電されている。しかし、エレベータ稼働後一定以上の期間が経過すると、経年劣化により充分な充電ができなくなり、やがて非常電源用バッテリーの寿命が完全に尽きると救出運転ができなくなる。したがって、非常電源用バッテリーについては、その寿命期間を予測判定し、寿命が尽きる前に新品と交換する必要がある。
【０００５】
この寿命期間の予測判定を正確に行うのは困難であるため、以前は、バッテリー取付時点から一定期間（予測寿命期間よりも充分に短い期間）経過後には一律に全て新品に交換するようなメンテナンス処理が一般的に行われていた。しかし、このように一律に全て新品に交換するメンテナンス処理ではメンテナンス費用の増大を招くため、近時は極力正確な寿命予測判定を行うことが試みられている。
【０００６】
従来のバッテリー寿命の予測判定手法としては、例えば特許文献１，２に係る技術が開示されている。特許文献１は、救出運転毎のバッテリー放電電流検出値から基準放電容量での放電回数を演算して積算し、この積算放電回数と設定寿命回数とを比較することによりバッテリー寿命到来時点を求めようとするものである。
【０００７】
特許文献２は、バッテリーの雰囲気温度を複数段階に区分しておき、バッテリーが晒された各区分毎の累積時間からバッテリーの寿命進行度を求めようとするものである。
【特許文献１】特開平５−１３９６５１号公報
【特許文献２】特開２００６−３１２５２８号公報
【発明の開示】
【発明が解決しようとする課題】
【０００８】
しかし、実際にどのようなバッテリー寿命予測手法が適しているかはエレベータの個々の条件によって大きく異なってくる。例えば、エレベータの用途、エレベータの設置地域、バッテリー容量の大きさ、バッテリーの種類等によって最適手法は異なり、更に、ある程度以上の期間にわたる実績値の積み重ねがないと、そのエレベータにとっての最適予測手法は定まらないものと考えられる。
【０００９】
本発明は上記事情に鑑みてなされたものであり、エレベータの個々の条件の相違に応じた最適なバッテリー寿命予測判定手法を用いるようにし、これにより寿命判定精度を向上させることが可能な非常電源用バッテリーの寿命判定システムを提供することを目的としている。
【課題を解決するための手段】
【００１０】
本発明は上記課題を解決するための手段として、非常電源用バッテリーについての寿命判定開始指令を出力する判定開始指令手段と、寿命判定開始指令により非常電源用バッテリーに関する複数種類の測定データを収集する測定データ収集手段と、非常電源用バッテリーの寿命判定を行う際に用いる複数種類の判定基準データが格納されている判定基準データ格納部と、非常電源用バッテリーの寿命判定の基礎とするデータ種類を選択する比較対象データ選択手段と、寿命判定開始指令により測定データ収集手段及び判定基準データ格納部から比較対象データ選択手段が選択したデータ種類に係るデータを入力し、これらのデータの比較に基づき非常電源用バッテリーの寿命判定を行うデータ比較判定手段と、データ比較判定手段による判定結果を表示する判定結果表示手段と、を備えたことを特徴とする。
【発明の効果】
【００１１】
本発明によれば、エレベータの個々の条件の相違に応じた最適なバッテリー寿命予測判定手法を用いるようにし、これにより寿命判定精度を向上させることができる。
【発明を実施するための最良の形態】
【００１２】
図１は、本発明の実施形態に係る非常電源用バッテリーの寿命判定システムの構成図である。主電源である３相の商用交流電源１からの交流電力は接点２を介して整流回路３に入力される。整流回路３に入力された交流電力は直流電力に変換され、平滑コンデンサ４により平滑化されてインバータ装置５に出力される。インバータ装置５は、この直流電力を可変電圧可変周波数制御された交流電力に変換し、これを巻上機６に供給するようになっている。
【００１３】
巻上機６にはロープ７が巻回されており、ロープ７の一端側及び他端側にはそれぞれ乗りかご８及びカウンタウェイト９が取り付けられている。そして、インバータ装置５からの交流電力の供給により巻上機６が運転制御され、巻上機６の駆動力により乗りかご８及びカウンタウェイト９が昇降路内を互いに反対方向に昇降動するようになっている。
【００１４】
また、接点２と整流回路３との間には、制御電源装置１０のケーブルの一端側が接続され、商用交流電源１からの電力がこの制御電源装置１０に入力される。そして、この制御電源装置１０を電源としてエレベータ制御装置１１がエレベータの運転制御を行うようになっている。
【００１５】
商用交流電源１と接点２との間には、停電時自動着床装置１２の入力ケーブルの一端側が接続されている。この停電時自動着床装置１２は停電検出回路１３を有しており、入力ケーブルの他端側がこの停電検出回路１３に接続されている。停電検出回路１３は、商用交流電源１の停電事故を検出した場合にエレベータ制御装置１１に対して停電検出信号を出力すると共に、停電事故から復電した場合にエレベータ制御装置１１に対して復電検出信号を出力するようになっている。
【００１６】
入力ケーブルの他端側は、更に、接点１４を介して充電回路１５に接続されている。そして、充電回路１５は商用交流電源１からの電源入力に基づき非常電源用バッテリー１６に対する充電を行う。この充電により非常電源用バッテリー１６に蓄えられた直流電力は出力回路１７により所定電圧の交流電力に変換され、接点１８を介して整流回路３に供給されるようになっている。
【００１７】
そして、上記の非常電源用バッテリー１６の寿命判定に用いる測定データはバッテリー寿命判定装置１９により収集され、バッテリー寿命判定装置１９はこの収集した測定データに基づき非常電源用バッテリー１６の寿命判定を行うようになっている。
【００１８】
ここで、バッテリー寿命判定装置１９を除く図１の各構成要素の概略動作につき説明しておく。まず、通常運転時は接点２，１４がオン、接点１８がオフになっている。したがって、商用交流電源１からの交流電力は整流回路３に入力され、この整流回路３により整流された直流電力がインバータ装置５に入力される。インバータ装置５は、この入力した直流電力を可変電圧可変周波数制御された交流電力に変換し、これを巻上機６に供給する。そして、巻上機６の駆動力により乗りかご８及びカウンタウェイト９が昇降路内を昇降動する。
【００１９】
また、商用交流電源１からの交流電力は制御電源装置１０にも入力され、エレベータ制御装置１１はこの制御電源装置１０を電源としてエレベータの運転制御動作を行う。更に、充電回路１５にも商用交流電源１からの交流電力が入力され、充電回路１５はこの入力に基づき非常電源用バッテリー１６に対する充電動作を行う。
【００２０】
上記のような通常運転が行われている間に停電事故が発生して商用交流電源１からの交流電力が遮断され、乗りかご８が階床間で停止したとする。すると、停電検出回路１３は、この停電事故発生についての検出信号をエレベータ制御装置１１に出力する。また、停電検出回路１３はこれと同時に、それまでオンになっていた接点２，１４をオフにすると共に、それまでオフになっていた接点１８をオンにする。したがって、商用交流電源１はエレベータシステムから切り離されると共に、これに代わって非常電源用バッテリー１６に蓄積されている電力が出力回路１７を経由して整流回路３及び制御電源装置１０に供給される。
【００２１】
これにより、エレベータ制御装置１１は、停電検出回路１３からの停電検出信号を入力すると直ちに、停電時自動着床制御を実行し、階床間で停止状態にある乗りかご８を最寄り階まで移動させ、乗りかご８内の乗客をかご外へ救出することができる。
【００２２】
なお、停電時自動着床制御の実行中に、商用交流電源１が復帰し、停電検出回路１３が復電を検出したとしても、エレベータ制御装置１１は、非常電源用バッテリー１６からの電力供給に基づく停電時自動着床制御をそのまま続行して完了させる。このとき、停電検出回路１３は接点２をオフ状態に維持しておく。したがって、商用交流電源１から供給される電力と、出力回路１７から供給される電力との混蝕は回避される。
【００２３】
図２は、図１におけるバッテリー寿命判定装置１９の内部構成を示すブロック図である。この図に示すように、バッテリー寿命判定装置１９は、測定データ収集手段１９ａ、判定基準データ格納部１９ｂ、データ比較判定手段１９ｃ、判定結果表示手段１９ｄ、比較対象データ選択手段１９ｅ、判定開始指令手段１９ｆ、操作釦１９ｇ、及び運転要求検出手段１９ｈなどを含んで構成されている。
【００２４】
測定データ収集手段１９ａは、判定開始指令手段１９ｆからの寿命判定開始指令を入力すると、非常電源用バッテリー１６に関する複数種類の測定データを収集するようになっている。これら複数種類の測定データとしては、例えば、バッテリー電圧、バッテリー温度、バッテリー内部抵抗、バッテリー電圧降下波形などがある。
【００２５】
判定基準データ格納部１９ｂには、非常電源用バッテリー１６の寿命判定を行う際に用いる複数種類の判定基準データ、すなわち測定データ収集手段１９ａが収集する複数種類の測定データの比較対象となるべきデータが格納されている。これらの判定基準データは、所定の演算及び過去の判定実績に基づき採用されたものであり、適宜最適値に更新されるものである。
【００２６】
データ比較判定手段１９ｃは、測定データ収集手段１９ａからの測定データ及び判定基準データ格納部１９ｂからの判定基準データを入力し、これらのデータの比較に基づき非常電源用バッテリー１６の寿命判定を行うものである。例えば、データ種類がバッテリー電圧の場合、充電開始してから一定時間経過後の測定電圧値が判定基準電圧値よりも一定割合以下である場合はバッテリー交換時期になっていると判定する。あるいは、データ種類がバッテリー温度の場合、非常電源用バッテリー１６の所定個所に取り付けた温度センサからの測定温度が判定基準温度よりも上回った時間を累積し、その累積時間が判定基準時間を超えているか否かでバッテリー交換時期であるか否かを判定する。
【００２７】
但し、データ比較判定手段１９ｃは、全てのデータ種類について測定データと判定基準データとの比較を行うとは限らず、比較対象データ選択手段１９ｅが寿命判定の基礎とすべきものとして選択したデータ種類のみについて比較を行うようになっている。この比較対象データ選択手段１９ｅがどのようなデータ種類を選択するかについては、保守作業員等が手動操作によって決定することが可能であるが、後述するように、学習機能に基づき決定がなされるように設定することも可能である。
【００２８】
判定結果表示手段１９ｄは、データ比較判定手段１９ｃによる判定結果を表示するものである。この判定結果表示手段１９ｄは、例えば、３種類の異なる表示色のLEDランプを有しており、それぞれのLEDランプに「要交換」、「あと少しで交換」、「交換不要」などのメッセージを対応させておくことができる。あるいは、LEDランプの代わりに小さな液晶表示画面を設け、画面上に上記のメッセージを直接表示させるようにしてもよい。
【００２９】
判定開始指令手段１９ｆは、非常電源用バッテリー１６についての寿命判定開始指令を測定データ収集手段１９ａ及びデータ比較判定手段１９ｃに対して出力するものである。測定データ収集手段１９ａは、この寿命判定開始指令を入力すると、非常電源用バッテリー１６に関する測定データの収集を開始する。また、データ比較判定手段１９ｃは、この寿命判定開始指令を入力した後、充分なデータ量が収集された段階、あるいは充分な時間が経過した段階で寿命判定を行うことになる。
【００３０】
判定開始指令手段１９ｆの寿命判定開始指令の出力は、操作釦１９ｇを保守作業員等が操作することにより行わせることができる。そして、判定開始指令手段１９ｆは、寿命判定開始指令を出力する際には、同時に接点１４をオンからオフに切り換え、充電回路１５に非常電源用バッテリー１６に対する充電動作を停止させるようになっている。
【００３１】
また、判定開始指令手段１９ｆには運転要求検出手段１９ｈからの運転要求検出信号が入力されるようになっている。運転要求が検出される場合とは、例えば、乗場呼び釦が押された場合、あるいは、セキュリティシステムに連動するエレベータシステムにおいて玄関入口ドアの開放により乗場呼びが自動的になされたような場合である。このような運転要求検出信号が入力されると、判定開始指令手段１９ｆは、オフになっている接点１４をオンに切り換えると共に、測定データ収集手段１９ａ及びデータ比較判定手段１９ｃに寿命判定動作中断指令を出力するようになっている。
【００３２】
次に、図２の動作につき説明する。なお、比較対象データ選択手段１９ｅによるデータ種類の選択は予め行われているものとする。いま、メンテナンス作業を行っている保守作業員が操作釦１９ｇを押すと、判定開始指令手段１９ｆは、寿命判定開始指令を測定データ収集手段１９ａ及びデータ比較判定手段１９ｃに出力すると共に、接点１４をオフに切り換える。
【００３３】
判定開始指令手段１９ｆからの寿命判定開始指令を入力すると、測定データ収集手段１９ａは測定データの収集を開始し、収集した測定データをデータ比較判定手段１９ｃに出力する。データ比較判定手段１９ｃは、入力した測定データのうち比較対象データ選択手段１９ｅにより選択されているデータ種類に係る測定データと、判定基準データ格納部１９ｂから取り出した判定基準データとを比較して寿命判定を実施する。判定結果表示手段１９ｄは、この判定結果を前述したLEDランプ又は液晶表示画面等により表示する。
【００３４】
保守作業員は、判定結果表示手段１９ｄに表示された判定結果により、非常電源用バッテリー１６が間もなく寿命を迎えるので交換の必要があること、あるいは、寿命を迎えるまでにはまだ充分な期間があるので交換が不要であることなどの情報を直ちに得ることができる。
【００３５】
また、バッテリー寿命判定装置１９が上記のような寿命判定動作をエレベータの停止中に行っている途中で、運転要求検出手段１９ｈが運転要求を検出したとする。すると、判定開始指令手段１９ｆは中断指令を測定データ収集手段１９ａ及びデータ比較判定手段１９ｃに出力すると共に、接点１４をオフからオンに切り換える。このように接点１４をオンに切り換えるのは、エレベータの通常運転中は常に非常電源用バッテリー１６を最適の状態に維持しておくのが好ましいからである。
【００３６】
データ比較判定手段１９ｃは内部に記憶部を有しており、中断指令を入力するとそれまでの途中データを一時的に記憶する。そして、乗りかご８が目的階床に到着した後、玄関階で戸開待機状態に入り、エレベータの運転が停止したら、判定開始指令手段１９ｆは寿命判定開始指令を再度出力すると共に、接点１４を再度オフに切り換える。これにより、測定データ収集手段１９ａは測定データの収集を再開し、データ比較判定手段１９ｃは記憶していたデータと新たに測定データ収集手段１９ａから入力した測定データとを用いて判定動作を行う。
【００３７】
上述した本実施形態に係る非常電源用バッテリーの寿命判定システムによれば、データ比較判定手段１９ｃは、測定データ収集手段１９ａ及び判定基準データ格納部１９ｂから入力したデータのうち、比較対象データ選択手段１９ｅが選択したデータ種類に係るもののみを用いてバッテリーの寿命判定を行う構成としているので、エレベータの個々の条件の相違に応じた最適なバッテリー寿命予測判定手法を用いることができ、したがって、寿命判定精度を向上させることが可能になる。
【００３８】
なお、比較対象データ選択手段１９ｅが選択したデータ種類が例えば電圧降下波形である場合、非常電源用バッテリー１６にある程度の負荷を加えた状態で寿命判定を行うのが好ましい。このような場合、図１及び図２では詳しい構成は省略しているが、エレベータ制御装置１１内のうちの利用可能な負荷に出力回路１７を介して非常電源用バッテリー１６を接続する構成とすることが可能である。
【００３９】
図３は、本発明の他の実施形態の要部構成を示すブロック図である。図３が図２と異なる点は、判定開始タイマ手段２０ａ及び判定結果送信手段２０ｂを有する遠隔保守装置２０と、判定結果学習手段２１ａを有する中央監視装置２１とが付加されており、更に、バッテリー寿命判定装置１９内に判定基準データ更新手段１９ｉが付加されると共に、比較対象データ選択手段１９ｅの内部にデータ重要度決定手段１９ｅ１が設けられている点などである。遠隔保守装置２０はエレベータが設置されている建物内に取り付けられているものであり、中央監視装置２１はエレベータ保守会社の監視センターに設けられているものである。そして、判定結果送信手段２０ｂと判定結果学習手段２１ａとは公衆回線により接続されている。
【００４０】
判定開始タイマ手段２０ａは、タイマ機能又はカレンダ機能に基づき、判定開始指令手段１９ｆが判定開始指令を出力するタイミングについて予め設定できるようにするためのものである。そして、判定開始タイマ手段２０ａは、この設定タイミングが到来した時点で判定開始指令手段１９ｆに対して判定開始指令を出力すべきことを指示する。したがって、保守作業員が手動により操作釦１９ｇを操作しなくても、自動的に所定タイミングで非常電源用バッテリー１６の寿命判定を確実に実施することが可能になる。
【００４１】
また、本実施形態におけるデータ比較判定手段１９ｃは、判定結果を判定結果表示手段１９ｄに出力すると共に、判定結果送信手段２０ｂにも出力するようになっている。判定結果送信手段２０ｂは、この入力した判定結果を公衆回線を介して判定結果学習手段２１ａに送信する。
【００４２】
判定結果学習手段２１ａは、受信した判定結果について、例えばファジー演算手法、遺伝的アルゴリズム手法、自己組織化マップ手法などの学習アルゴリズムを用いて学習する。そして、判定結果学習手段２１ａは、この学習結果を判定基準データ更新手段１９ｉに送信する。判定基準データ更新手段１９ｉは、受信した学習結果に基づき、判定基準データ格納部１９ｂに格納されている判定基準データを最適な値に更新する。
【００４３】
また、本実施形態では、比較対象データ選択手段１９ｅが判定結果学習手段２１ａからの学習結果を入力し、これにより最適なデータ種類を選択できるようになっている。更に、本実施形態の比較対象データ選択手段１９ｅは内部にデータ重要度決定手段１９ｅ１を有しており、選択したデータ種類が複数ある場合には、これらについてデータ重要度を決定するようになっている。
【００４４】
そして、データ比較判定手段１９ｃは、複数種類のデータの比較に基づき寿命判定を行った際、用いたデータ種類によって異なる結果の判定が算出されるような場合には、データ重要度決定手段１９ｅ１が決定したデータ重要度が上位の方のデータ種類を用いて得られる判定結果を採用し、これを出力するようになっている。
【００４５】
このように、図３の実施形態によれば、タイマ機能又はカレンダ機能を有する遠隔保守装置２０内の判定開始タイマ手段２０ａにより、判定開始指令手段１９ｆが判定開始指令を出力するタイミングについて予め設定できるようにしているので、保守作業員が手動により操作釦１９ｇを操作しなくても、自動的に所定タイミングで非常電源用バッテリー１６の寿命判定を確実に実施することができる。
【００４６】
また、中央監視装置２１内の判定結果学習手段２１ａにより、判定基準データ更新手段１９ｉが判定基準データ格納部１９ｂに格納されている判定基準データを最適な値に更新することができる。
【００４７】
更に、比較対象データ選択手段１９ｅにデータ重要度決定手段１９ｅ１を設け、複数種類のデータ種類に対してデータ重要度に関する優先順位をつけているので、データ種類によって異なる判定結果が導かれるような場合は、データ重要度が高い方のデータ種類に基づく判定結果を採用するようにしている。したがって、精度及び信頼性がより向上した寿命判定を実施することが可能になっている。
【００４８】
なお、図３に示した構成では、判定開始タイマ手段２０ａは遠隔保守装置２０内に設けられ、判定結果学習手段２１ａは中央監視装置２１内に設けられているが、これらのいずれか又は双方をバッテリー寿命判定装置１９内に設けた構成とすることも可能である。
【００４９】
また、図３では図面が煩雑になるのを避けるため、判定結果学習手段２１ａからの学習結果のデータが判定基準データ更新手段１９ｉ及びデータ重要度決定手段１９ｅ１に直接送信されるように図示しているが、実際には遠隔保守装置２０を経由して送信されることが好ましい。
【図面の簡単な説明】
【００５０】
【図１】本発明の実施形態に係る非常電源用バッテリーの寿命判定システムの構成図。
【図２】図１におけるバッテリー寿命判定装置１９の内部構成を示すブロック図。
【図３】本発明の他の実施形態の要部構成を示すブロック図。
【符号の説明】
【００５１】
１：商用交流電源
２：接点
３：整流回路
４：平滑コンデンサ
５：インバータ装置
６：巻上機
７：ロープ
８：乗りかご
９：カウンタウェイト
１０：制御電源装置
１１：エレベータ制御装置
１２：停電時自動着床装置
１３：停電検出回路
１４：接点
１５：充電回路
１６：非常電源用バッテリー
１７：出力回路
１８：接点
１９：バッテリー寿命判定装置
１９ａ：測定データ収集手段
１９ｂ：判定基準データ格納部
１９ｃ：データ比較判定手段
１９ｄ：判定結果表示手段
１９ｅ：比較対象データ選択手段
１９ｅ１：データ重要度決定手段
１９ｆ：判定開始指令手段
１９ｇ：操作釦
１９ｈ：運転要求検出手段
１９ｉ：判定基準データ更新手段
２０：遠隔保守装置
２０ａ：判定開始タイマ手段
２０ｂ：判定結果送信手段
２１：中央監視装置
２１ａ：判定結果学習手段
【図１】
2009215023.tif 000003
【図２】
2009215023.tif 000004
【図３】
2009215023.tif 000005